(57)【要約】【課題】エレベータ運行中に異常が生じたときに、その異常の内容を含む情報をエレベータ利用者に報知し、その報知で異常が軽微なときにエレベータの利用者自身の行為でその異常を解消したり、その異常に対応したりすることが可能となるエレベータの音声報知装置を提供する。【解決手段】かご操作盤２２には、アナウンス装置２７が設けられている。エレベータの異常検出時には、その異常の内容とその異常に対応するための内容を含む情報がエレベータの利用者に対して音声で報知される。例えば、ドアの開閉動作に異常が生じたときに、『ドアが動きません。ドアの溝にごみなどはありませんか。確認してください。ごみがあれば取り除いてください。』という音声によるアナウンスがかご６内に流れる。これに応じてエレベータの利用者が敷居の溝を確認し、その溝内のごみなどの異物を除去して修復することで、ドアが正常に動作し、通常運行の継続が可能となる。【選択図】    図２
2012162390.tif 000002
【特許請求の範囲】
【請求項１】
エレベータの運行上の異常を検出する異常検出手段と、
所定の音声データに基づいて音声を出力することで、エレベータの利用者に対して情報を報知する音声報知手段と、
前記異常検出手段が異常を検出したときに、その異常の内容を含む情報を前記音声報知手段を通してエレベータの利用者に対して音声で報知する制御を行なう制御手段と、
を具備することを特徴とするエレベータの音声報知装置。
【請求項２】
前記異常検出手段は、エレベータのドアの開閉異常を検出することが可能で、その検出に応じて前記制御手段が前記音声報知手段を制御して、ドアの異常内容とその異常原因を含む情報をエレベータの利用者に対して報知することを特徴とする請求項１に記載のエレベータの音声報知装置。
【請求項３】
前記異常検出手段は、エレベータのかごがエレベータホールに着床するときにそのかごとエレベータホールとの間に一定以上の段差が生じるときの段差異常を検出することが可能で、その検出に応じて前記制御手段が前記音声報知手段を制御して、段差異常の内容とその段差異常による注意を喚起する内容を含む情報をエレベータの利用者に対して報知することを特徴とする請求項１に記載のエレベータの音声報知装置。
【請求項４】
前記異常検出手段は、エレベータのかご内の利用者の行動で生じるかごの一定以上の振動の異常を検出することが可能で、その振動異常の検出に応じて前記制御手段が前記音声報知手段を制御して、振動異常の内容とかご内の利用者に前記行動を止めるように警告する内容を含む情報をエレベータの利用者に対して報知することを特徴とする請求項１に記載のエレベータの音声報知装置。
【発明の詳細な説明】
【技術分野】
【０００１】
この発明の実施形態は、エレベータの利用者に対して所要の情報を音声で報知するエレベータの音声報知装置に関する。
【背景技術】
【０００２】
エレベータは、建屋の昇降路内に吊り下げられたかごを備え、このかごが巻上機により駆動されて昇降路内で上下に昇降移動するように運行される。エレベータの運行状況は、運行監視手段により常時監視され、異常が発生した際にはその情報がエレベータを管理する管理センタに送られる。異常の情報が送信されたときには、管理センタの係員がエレベータの設置建屋に赴き、その異常についての点検が行なわれる。したがって、エレベータの利用者は係員が到着し、点検が終了するまでエレベータを利用することができない。
【先行技術文献】
【特許文献】
【０００３】
【特許文献１】特開２００９−１２６６２０号公報
【特許文献１】特許第４１７６４２９号公報
【発明の概要】
【発明が解決しようとする課題】
【０００４】
管理センタに送られる異常の情報のうちには、軽微でエレベータの利用者が点検して修復することが可能な異常や、利用者自身の行動で生じる異常、例えば利用者がかご内でふざけて飛び跳ねることで生じるかごの異常振動などが含まれる。
【０００５】
しかしながら、従来ではこのような軽微の異常が発生したときでも、管理センタの係員がエレベータの設置建屋まで出向いてエレベータを点検し、その点検が終了するまでエレベータを利用することができず、エレベータの利用者に対するサービス性やエレベータの運行効率が低下するという課題がある。
【０００６】
そこで、この発明の実施形態は、エレベータの運行中に異常が生じたときに、その異常の内容を含む情報をエレベータの利用者に報知し、その報知で異常が軽微なときにエレベータの利用者自身の行為でその異常を解消したり、その異常に対応したりすることが可能となるエレベータの音声報知装置を提供するものである。
【課題を解決するための手段】
【０００７】
請求項１の発明は、エレベータの運行上の異常を検出する異常検出手段と、所定の音声データに基づいて音声を出力することで、エレベータの利用者に対して情報を報知する音声報知手段と、前記異常検出手段が異常を検出したときに、その異常の内容を含む情報を前記音声報知手段を通してエレベータの利用者に対して音声で報知する制御を行なう制御手段とを具備することを特徴としている。
【０００８】
請求項２の発明は、前記異常検出手段は、エレベータのドアの開閉異常を検出することが可能で、その検出に応じて前記制御手段が前記音声報知手段を制御して、ドアの異常内容とその異常原因を含む情報をエレベータの利用者に対して報知することを特徴としている。
【０００９】
請求項３の発明は、前記異常検出手段は、エレベータのかごがエレベータホールに着床するときにそのかごとエレベータホールとの間に一定以上の段差が生じるときの段差異常を検出することが可能で、その検出に応じて前記制御手段が前記音声報知手段を制御して、段差異常の内容とその段差異常による注意を喚起する内容を含む情報をエレベータの利用者に対して報知することを特徴としている。
【００１０】
請求項４の発明は、前記異常検出手段は、エレベータのかご内の利用者の行動で生じるかごの一定以上の振動の異常を検出することが可能で、その振動異常の検出に応じて前記制御手段が前記音声報知手段を制御して、振動異常の内容とかご内の利用者に前記行動を止めるように警告する内容を含む情報をエレベータの利用者に対して報知することを特徴としている。
【図面の簡単な説明】
【００１１】
【図１】この発明の一実施形態に係るエレベータの全体の構成を示す構成図。
【図２】そのエレベータのかごの内部を後部から前方側を見たときの斜視図。
【図３】そのエレベータのエレベータホールの斜視図。
【図４】そのエレベータの制御回路の構成を示すブロック図。
【図５】そのエレベータの作用の流れを説明するためのフローチャート。
【図６】そのエレベータの他の作用の流れを説明するためのフローチャート。
【図７】そのエレベータのさらに異なる他の作用の流れを説明するためのフローチャート。
【発明を実施するための形態】
【００１２】
以下、この発明の実施の形態について図面を参照して説明する。
【００１３】
図１には、エレベータの全体の構成を示してあり、建物の昇降路１の上部には機械室２が設けられ、この機械室２内に駆動装置としての巻上機３が設置されている。巻上機３はトラクションシーブ４を備え、このトラクションシーブ４にメインロープ５が巻き掛けられている。メインロープ５の両端側は昇降路１内に引き落とされ、その一方側の端末にかご６が、他端側の端末につり合い重り７がそれぞれ連結され、これらかご６及びつり合い重り７が昇降路１内に吊り下げられている。そして巻上機３が起動し、トラクションシーブ４が回転してメインロープ５が走行することによりかご６とつり合い重り７が昇降路１内で互いに逆方向に昇降移動する。機械室２にはエレベータの運行を制御する制御手段としての制御盤１０が設けられ、この制御盤１０により前記巻上機３が制御されてかご６が昇降移動する。
【００１４】
建物の各階のエレベータホール１３には昇降路１に通じる乗降口１４が設けられ、これら乗降口１４にそれぞれホールドア１５が設置され、これらホールドア１５により乗降口１４が開閉される。
【００１５】
かご６の前面にはかごドア１６が設けられている。図２にはかご６の内部をその後部から前方側を見たときの外観を示してあり、かご６の前面には出入口１７が設けられ、この出入口１７の前面側にかごドア１６が設置され、このかごドア１６により出入口１７が開閉される。
【００１６】
図１に示すように、各エレベータホール１３の乗降口１４の下部及びかご６の出入口１７の下部にはそれぞれ敷居１８，１９が取り付けられ、敷居１８の上にホールドア１５が、敷居１９の上にかごドア１６がそれぞれ設置され、これら敷居１８，１９に沿ってホールドア１５，かごドア１６が移動する。
【００１７】
各エレベータホール１３の乗降口１４は、通常時にはホールドア１５により閉鎖されている。そしてかご６が目的階のエレベータホール１３に移動して停止する際に、かごドア１６がそのエレベータホール１３のホールドア１５に係合し、この状態でかごドア１６が駆動源により駆動され、かごドア１６とホールドア１５とが連動して戸開し、かご６に対する利用者の乗り降りが可能となる。利用者の乗り降りが終了した後には、かごドア１６とホールドア１５とが連動して戸閉し、かご６が次に目的階に向って移動する。
【００１８】
かご６の内部には、図２に示すようにかご操作盤２２が設けられ、このかご操作盤２２に複数の行先階ボタン２３、ドア開閉ボタン２４、かご位置表示パネル２５並びにスピーカー２６が配設されている。かご操作盤２２の内部には、各種の所定の音声データに基づいて各種の情報を前記スピーカー２６を通して音声でアナウンスしてエレベータの利用者に報知する音声報知手段としてのアナウンス装置２７が設けられている。
【００１９】
また、図３に示すように、各階のエレベータホール１３には、出入口１７の側方に位置してホール操作盤３０が設けられ、このホール操作盤３０にかご呼びボタン３１、かご位置表示パネル３２並びにスピーカー３３が配設されている。そしてこのかご操作盤２２の内部には、各種の所定の音声データに基づいて各種の情報を前記スピーカー３３を通して音声でアナウンスしてエレベータの利用者に報知する音声報知手段としてのアナウンス装置３４が設けられている。
【００２０】
かご操作盤２２及びホール操作盤３０はそれぞれ制御盤１０に接続され、図４に示すようにかご操作盤２２の行先階ボタン２３、ドア開閉ボタン２４、かご位置表示パネル２５やホール操作盤３０のかご呼びボタン３１の各操作に応じる信号が制御盤１０に送られ、その信号に応じてかご６の移動や停止、ホールドア１５及びかごドア１６の開閉動作などが制御盤１０により制御される。また、制御盤１０による制御で、かご６の移動方向や現在位置がかご操作盤２２のかご位置表示パネル２５及びホール操作盤３０のかご位置表示パネル３２にそれぞれ表示される。
【００２１】
このエレベータには、その運行時における各種の異常を検出する異常検出手段３７が設けられ、この異常検出手段３７が異常を検出したときにその信号が制御盤１０に送られる。そして制御盤１０には、異常検出手段３７から送られる異常の信号に応じて、かご操作盤２２やホール操作盤３０のアナウンス装置２７，３４を駆動する駆動回路部３８が設けられている。
【００２２】
次に、作用について説明する。
【００２３】
例えばエレベータの運行中において、かご６が所定の階床のエレベータホール１３に着床してホールドア１５及びかごドア１６が開閉するときに、その開閉動作に異常が生じたときには、図５に示すフローチャートの流れの処理が行なわれる。
【００２４】
すなわち、エレベータの運行中において、かご６が所定の階床に着床し（Ｓ１）、この着床後にホールドア１５及びかごドア１６が開閉するときに、その開閉動作に異常があるかが異常検出手段３７により判断される（Ｓ２）。この際、敷居１８，１９にごみなどの異物が詰まっていてその開閉動作に異常が生じていると、異常検出手段３７から異常検出の信号が制御盤１０に出力される（Ｓ３）。
【００２５】
異常検出の信号が制御盤１０に出力されると、制御盤１０の駆動回路部３８からかご操作盤２２のアナウンス装置２７及びかご６が着床したエレベータホール１３におけるホール操作盤３０のアナウンス装置３４に駆動信号が出力され（Ｓ４）、その各アナウンス装置２７，３４が動作する（Ｓ５）。すなわち、スピーカー２６，３３を通して異常の内容とその異常を解消するための内容を含む情報がエレベータの利用者に対して報知される（Ｓ６）。例えば『ドアが動きません。ドアの溝にごみなどはありませんか。確認してください。ごみがあれば取り除いてください。』という音声によるアナウンスがかご６内及びエレベータホール１３に流れ、エレベータの利用者に報知される。
【００２６】
これに応じてエレベータの利用者が敷居１８，１９の溝を確認し、その溝内のごみなどの異物を除去して修復すると（Ｓ７）、ドアが正常に動作し、通常運行（Ｓ８）が継続される。
【００２７】
Ｓ７において、異物の除去による修復が行なわれなかったときには、前記異常の内容がエレベータの管理センタに通報される（Ｓ９）。また、Ｓ２において、ドアの開閉動作に異常がないときには、そのままドアが正常に動作し、通常運行（Ｓ８）が継続される。
【００２８】
このように、異常が軽微のときに、その異常の内容をエレベータの利用者に音声で報知することで、その利用者自身により異常を回復するための修復作業を促すことができる。そして、その利用者による修復作業で、管理センターの係員が出向くことなく、エレベータを通常運行させることができる。したがって、エレベータの運行が長時間に渡って中断することがなく、エレベータの利用者に対するサービス性やエレベータの運行効率を高めることができる。
【００２９】
一方、エレベータの運行中において、かご６がエレベータホール１３に着床する際に、そのかご６の床面とエレベータホール１３の床面との間に一定以上の段差が生じる異常が発生したときには、図６に示すフローチャートの流れの処理が行なわれる。
【００３０】
すなわち、かご６が所定のエレベータホール１３の階床に着床（Ｓ１）したときに、そのかご６の床面とエレベータホール１３の床面との間に一定以上の段差が生じているかが異常検出手段３７により判断される（Ｓ２）。そして異常検出手段３７により段差異常発生と判断されると、異常検出手段３７から異常検出の信号が制御盤１０に出力される（Ｓ３）。
【００３１】
異常検出の信号が制御盤１０に出力されると、制御盤１０の駆動回路部３８からかご操作盤２２のアナウンス装置２７及びかご６が着床したエレベータホール１３におけるホール操作盤３０のアナウンス装置３４に駆動信号が出力され（Ｓ４）、その各アナウンス装置２７，３４が動作する（Ｓ５）。すなわち、スピーカー２６，３３を通して異常の内容とその異常に対応するための内容を含む情報がエレベータの利用者に対して報知される（Ｓ６）。例えば『段差が生じています。足元に注意してください。』という音声によるアナウンスがかご６内及びエレベータホール１３に流れ、エレベータの利用者に報知される。
【００３２】
この音声によるアナウンスで注意が喚起され、エレベータの利用者は段差に注意を払いながら安全に乗り降りをすることができる。この後、ドアが閉じかご６が次の目的階に向って移動する通常運行（Ｓ７）が継続される。  
Ｓ２において、段差異常の発生がないと判断されたときには、そのまま通常運行（Ｓ７）が継続される。
【００３３】
さらに、エレベータの運行中において、かご６に乗った利用者が例えば悪ふざけで飛び跳ね、かご６に一定以上の振動（異常振動）が生じたときには図７に示すフローチャートの流れの処理が行なわれる。
【００３４】
すなわち、かご６の移動中あるいは着床停止中において、かご６に異常振動が発生したかが異常検出手段３７により判断される（Ｓ１）。そして異常検出手段３７により異常振動の発生があると判断されると、異常検出手段３７から異常検出の信号が制御盤１０に出力される（Ｓ２）。
【００３５】
異常検出の信号が制御盤１０に出力されると、制御盤１０の駆動回路部３８からかご操作盤２２のアナウンス装置２７に駆動信号が出力され（Ｓ３）、アナウンス装置２７が動作する（Ｓ４）。すなわち、スピーカー２６を通して異常の内容とその異常に対応するための内容を含む情報がエレベータの利用者に対して報知される（Ｓ５）。例えば『エレベータが異常に振動しました。飛び跳ねないでください。故障の原因になります。』という音声によるアナウンスがかご６内に流れ、エレベータの利用者に報知される。
【００３６】
この報知（警告）により、かご６内の利用者は飛び跳ねる悪ふざけを止めるようになり、エレベータの故障への発展を防止することができる。そしてかご６は通常運行（Ｓ６）が継続される。  
Ｓ１において、異常振動の発生がないと判断されたときには、そのまま通常運行（Ｓ６）が継続される。
【００３７】
このように、この発明の実施形態によれば、エレベータの運行中に異常が生じたときに、その異常の内容を含む情報をエレベータの利用者に報知し、その報知で異常が軽微なときにエレベータの利用者自身の行為でその異常を解消したり、その異常に対応したりすることが可能となり、したがってエレベータの運行が長時間に渡って中断することがなく、エレベータの利用者に対するサービス性やエレベータの運行効率を高めることができる。
【００３８】
なお、以上において説明したこの発明の実施形態は、例として提示したものであり、発明の範囲を限定することは意図していない。この発明の新規な実施形態は、その他の様々な形態で実施することが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００３９】
１…昇降路
３…巻上機
５…メインロープ
６…かご
１０…制御盤
１３…エレベータホール
１５…ホールドア
１６…かごドア
１８．１９…敷居
２２…かご操作盤
２３…行先階ボタン
２４…ドア開閉ボタン
２６…スピーカー
２７…アナウンス装置
３０…ホール操作盤
３１…かご呼びボタン
３３…スピーカー
３４…アナウンス装置
３７…異常検出手段
３８…駆動回路部
【図１】
2012162390.tif 000003
【図２】
2012162390.tif 000004
【図３】
2012162390.tif 000005
【図４】
2012162390.tif 000006
【図５】
2012162390.tif 000007
【図６】
2012162390.tif 000008
【図７】
2012162390.tif 000009